(57)【要約】【課題】安全性を向上可能な測定装置を提供する。【解決手段】測定装置１０は、筐体３０と、筐体３０の表面３０ａに配置された表示部１９と、筐体３０の表面３０ａと異なる面３０ｂに配置された、被検部位が接触される接触部１５と、接触部１５からレーザ光を射出するレーザ光源２１と、被検部位からのレーザ光の散乱光を受光する受光部２２と、受光部２２の出力に基づいて生体情報を生成する生体情報生成部１８と、レーザ光源２１におけるレーザ光の射出を制御する制御部１７とを備える。【選択図】図１
2018130558.tif 000002
【特許請求の範囲】
【請求項１】
筐体と、
前記筐体の第１面に配置され、被検部位を接触させる接触部と、
前記接触部から前記被検部位に対して測定光を射出する発光部と、
前記被検部位からの散乱光を受光する受光部と、
前記散乱光に基づいて生体測定出力を取得する第１生体センサと、
前記生体測定出力に基づいて生体情報を生成する生体情報生成部と、
画像の撮像を行う撮像部と、
前記測定光の射出を制御する制御部と、を備え、
前記制御部は、前記画像に被検者の顔が含まれると認識した場合に、前記測定光の射出を許可する、
測定装置。
【請求項２】
被検者の顔を記憶する記憶部、をさらに備え、
前記制御部は、前記画像に、前記記憶部で記憶した前記被検者の顔が含まれていると認識した場合に、前記測定光の射出を許可する、請求項１に記載の測定装置。
【請求項３】
前記第１面以外に配置される表示部、をさらに備える、請求項１又は請求項２に記載の測定装置。
【請求項４】
前記制御部は、前記測定光の射出を許可又は禁止すること を示す情報、測定中であることを示す情報、及び測定終了までの時間を示す情報、の少なくとも１つを前記表示部に表示させる、請求項３に記載の測定装置。
【請求項５】
重力方向に対する前記発光部の傾きを検出する三軸加速度センサをさらに備え、
前記制御部は、前記画像に前記被検者の顔が含まれていると認識した場合において、前記三軸加速度センサが検出した前記傾きに基づいて、前記測定光の射出方向が鉛直上方向から所定の角度以上であるか否かを判断し、前記所定の角度以上の場合に前記測定光の射出を許可し、前記所定の角度未満の場合に前記測定光の射出を禁止する、請求項３又は請求項４に記載の測定装置。
【請求項６】
前記接触部の位置を示すガイド部、をさらに備える、請求項１乃至請求項５のいずれか一項に記載の測定装置。
【請求項７】
前記第１生体センサは、前記散乱光のドップラーシフトに基づいて前記生体測定出力を取得する、請求項１乃至請求項６のいずれか一項に記載の測定装置。
【請求項８】
前記測定光はレーザ光である、請求項１乃至請求項７のいずれか一項に記載の測定装置。
【請求項９】
前記生体情報は血流に関する情報を含む、請求項１乃至請求項８のいずれか一項に記載の測定装置。
【請求項１０】
被検部位に対して測定光を射出するステップと、
前記被検部位からの散乱光を受光するステップと、
前記散乱光に基づいて生体測定出力を取得するステップと、
前記生体測定出力に基づいて生体情報を生成するステップと、
画像の撮像を行うステップと、を含み、
前記測定光を射出するステップは、前記画像に被検者の顔が含まれると認識した場合に、前記測定光の射出を許可する、測定方法。
【発明の詳細な説明】
【技術分野】
【０００１】
本発明は、測定装置に関する。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【先行技術文献】
【特許文献】
【０００３】
【特許文献１】実公平３−２１２０８号公報
【発明の概要】
【発明が解決しようとする課題】
【０００４】
しかしながら、レーザ光は、指向性が高く、波長及び位相が揃っているため、高いエネルギーを有する。そのため、レーザ光を照射して生体情報を測定する測定装置においては、安全性の観点から、射出されるレーザ光の向かう方向を適切なものとする必要がある。
【０００５】
かかる事情に鑑みてなされた本発明の目的は、安全性を向上可能な測定装置を提供することにある。
【課題を解決するための手段】
【０００６】
上記課題を解決するため、本発明に係る測定装置は、
筐体と、
前記筐体の表面に配置された表示部と、
前記筐体の前記表面と異なる面に配置された、被検部位が接触される接触部と、
前記接触部からレーザ光を射出するレーザ光源と、
前記被検部位からの前記レーザ光の散乱光を受光する受光部と、
前記受光部の出力に基づいて生体情報を生成する生体情報生成部と、
前記レーザ光源におけるレーザ光の射出を制御する制御部とを備える。
【０００７】
前記接触部の位置を示すガイドをさらに備えてもよい。
【０００８】
前記制御部は、前記レーザ光源から前記レーザ光を射出させる場合、前記表示部に画像を表示させてもよい。
【０００９】
前記接触部における前記被検部位の接触圧力を検出する圧力検出部をさらに備え、
前記制御部は、前記レーザ光源から前記レーザ光を射出させる場合、前記接触圧力が所定の範囲に含まれるか否かに関する情報を前記表示部に表示させてもよい。
【００１０】
前記筐体の前記表面に配置された撮像部をさらに備え、
前記制御部は、前記撮像部が撮像した画像に被検者の顔が含まれる場合、前記レーザ光源からの前記レーザ光の射出を許可し、前記画像に前記被検者の顔が含まれない場合、前記レーザ光源からの前記レーザ光の射出を禁止するものであってもよい。
【００１１】
重力方向に対する前記筐体の傾きを検出する三軸加速度センサをさらに備え、
前記制御部は、前記三軸加速度センサが検出した前記傾きに基づいて前記レーザ光の射出方向が鉛直上方向から所定の角度以上であるか否かを判断し、前記所定の角度以上の場合は、前記レーザ光源からの前記レーザ光の射出を許可し、前記所定の角度未満の場合は、前記レーザ光源からの前記レーザ光の射出を禁止するものであってもよい。
【００１２】
前記所定の角度は４５度であってもよい。
【００１３】
前記生体情報は、血流に関する情報を含んでいてもよい。
【発明の効果】
【００１４】
本発明によれば、安全性を向上可能な測定装置を提供できる。
【図面の簡単な説明】
【００１５】
【図１】本発明の一実施の形態に係る測定装置の概略構成を示す外観斜視図である。
【図２】図１の測定装置をユーザが把持した状態を示す図である
【図３】図１の測定装置の概略構成を示す機能ブロック図である。
【図４】制御部におけるレーザ光の射出制御の一例を示すフローチャートである。
【発明を実施するための形態】
【００１６】
以下、本発明の一実施の形態について、図面を参照して詳細に説明する。
【００１７】
図１は、本発明の一実施の形態に係る測定装置の概略構成を示す外観斜視図である。測定装置１０は、ユーザの生体情報を測定する専用の測定装置であってもよく、携帯電話機等の電子機器を本実施の形態に係る測定装置１０として使用したものであってもよい。測定装置１０は、携帯電話機に限られず、例えば、携帯型ミュージックプレイヤ、ノートパソコン、腕時計、タブレット端末、ゲーム機などの多岐にわたる任意の電子機器においても実現できる。
【００１８】
本実施の形態に係る測定装置１０は、外観形状が概略長方形状を成す筐体３０を備える。筐体３０には、表面３０ａ側にパネル２０が配置されており、パネル２０の下側に図１にパネル２０の一部を切り欠いて示すように、表示部１９が保持されている。
【００１９】
パネル２０は、接触を検出するタッチパネル、または表示部１９を保護するカバーパネル等からなり、例えばガラス、又はアクリル等の合成樹脂により形成される。パネル２０は、例えば長方形状である。パネル２０は、平板であってもよいし、表面３０ａが滑らかに傾斜する曲面パネルであってもよい。パネル２０は、タッチパネルである場合、利用者の指、ペン、又はスタイラスペン等の接触を検出する。タッチパネルの検出方式は、静電容量方式、抵抗膜方式、表面弾性波方式（又は超音波方式）、赤外線方式、電磁誘導方式、及び荷重検出方式等の任意の方式を用いることができる。本実施の形態では、説明の便宜上、パネル２０は、タッチパネルとする。
【００２０】
本実施の形態に係る測定装置１０は、筐体３０の一方の長辺である側面３０ｂ側に接触部１５を備える。接触部１５は、ユーザが生体情報を測定するために、指等の被検部位を接触させる部分である。
【００２１】
本実施の形態に係る測定装置１０は、接触部１５の位置を示すガイド４０を備える。ガイド４０は、例えば、ユーザが表面３０ａから測定装置１０を見て、接触部１５の位置を認識できるような形状及び色彩等を有する。また、ガイド４０は、例えば、ユーザが指で触れることによって接触部１５の位置を特定可能な任意の位置に配置できる。ガイド４０は、例えば、図１に示すように、接触部１５の周囲に、側面３０ｂから突出した突起として形成できる。ただし、ガイド４０の形状及び位置については、これに限られない。
【００２２】
測定装置１０は、表面３０ａに配置された撮像部１２を備える。撮像部１２は、測定装置１０の表面３０ａ側の画像を撮像する。撮像部１２は、例えばデジタルビデオカメラにより構成される。
【００２３】
測定装置１０は、ユーザにより把持された状態で生体情報の測定を行う。図２は、図１の測定装置１０をユーザが把持した状態を示す図である。ユーザは、例えば図２に示すように、左手の親指の腹の部分が接触部１５に接触するように、左手で測定装置１０を把持する。測定装置１０は、図２のように指が接触部１５に押し当てられた状態において、生体情報を測定する。生体情報は、測定装置１０が備える生体センサを使用して測定可能な任意の生体情報とすることができる。本実施の形態においては、測定装置１０は、一例として、血流に関する情報であるユーザの血流量を測定するものとして、以下説明を行う。
【００２４】
図３は、図１の測定装置１０の概略構成を示す機能ブロック図である。図３に示すように、測定装置１０は、圧力検出部１１と、撮像部１２と、三軸加速度センサ１３と、生体センサ１４と、接触部１５と、記憶部１６と、制御部１７と、生体情報生成部１８と、表示部１９とを備える。
【００２５】
図３において、圧力検出部１１は、接触部１５に作用する被検部位の接触圧力を検出する。圧力検出部１１は、例えば圧電素子により構成される。圧力検出部１１は、制御部１７に接続されており、検出した圧力を圧力信号として制御部１７に送信する。従って、圧力検出部１１は、接触部１５に被検部位が接触している場合、被検部位から接触部１５に作用する圧力を検出し、検出した圧力を圧力信号として制御部１７に送信する。
【００２６】
撮像部１２は、上述のように測定装置１０の表面３０ａ側の画像を撮像する。撮像部１２は、例えば動画としてライブ画像を撮像する。撮像部１２は、撮像した画像に係る情報を制御部１７に送信する。撮像部１２は、例えば、ユーザにより撮像部１２を起動する操作が行われたときに起動されてもよく、ユーザにより生体センサ１４を起動する操作が行われたときに、生体センサ１４と共に起動されてもよい。
【００２７】
三軸加速度センサ１３は、重力方向を検出し、重力方向を基準にした測定装置１０の傾きを検出する。三軸加速度センサ１３は、例えば、ピエゾ抵抗型、静電容量型又は熱検知型等の周知の三軸加速度センサにより構成される。三軸加速度センサ１３は、検出した測定装置１０の傾きに係る情報を制御部１７に送信する。
【００２８】
生体センサ１４は、被検部位から生体測定出力を取得する。本実施の形態のように、測定装置１０が血流量を測定する場合、生体センサ１４は、レーザ光源２１と受光部２２とを有する。
【００２９】
レーザ光源２１は、制御部１７の制御に基づいてレーザ光を射出する。レーザ光源２１は、例えば、血液中に含まれる所定の成分を検出可能な波長のレーザ光を、測定光として被検部位に照射するもので、例えばＬＤ（レーザダイオード：Laser Diode）により構成される。
【００３０】
受光部２２は、生体測定出力として、被検部位からの測定光の散乱光を受光する。受光部２２は、例えば、ＰＤ（フォトダイオード：Photo Diode）により構成される。生体センサ１４は、受光部２２において受光した散乱光の光電変換信号を制御部１７に送信する。
【００３１】
接触部１５は、上述のように、ユーザが生体情報を測定するために、指等の被検部位を接触させる部分である。接触部１５は、例えば、板状の部材により構成できる。また、接触部１５は、少なくとも測定光及び接触する被検部位からの散乱光に対して透明な部材により構成してもよい。
【００３２】
記憶部１６は、半導体メモリ等で構成することができ、各種情報や測定装置１０を動作させるためのプログラム等を記憶するとともに、ワークメモリとしても機能する。記憶部１６は、例えば、測定装置１０が測定した血流量を、履歴として記憶してもよい。
【００３３】
記憶部１６は、測定装置１０を使用して血流量の測定を行うユーザの顔の画像に関する情報を記憶してもよい。この場合、ユーザは、予め撮像部１２により自分の顔を撮像して、撮像した画像を記憶部１６に記憶（保存）させる。
【００３４】
制御部１７は、測定装置１０の各機能ブロックをはじめとして、測定装置１０の全体を制御及び管理するプロセッサである。制御部１７は、制御手順を規定したプログラムを実行するＣＰＵ（Central Processing Unit）等のプロセッサで構成され、かかるプログラムは、例えば記憶部１６又は外部の記憶媒体等に格納される。
【００３５】
制御部１７は、圧力検出部１１で検出される接触部１５での圧力が所定の圧力範囲内のときの受光部２２の出力を取得する。所定の圧力範囲は、被検部位から接触部１５に作用する圧力が血流量を測定可能な任意の圧力範囲とすることができ、特に、被検部位から接触部１５に作用する圧力が血流量の測定に好適な圧力範囲としてもよい。血流量の測定に好適な圧力範囲は、例えば、圧力と測定誤差との統計的な関係に基づいて、血流量の測定結果の誤差が、所定の誤差の範囲内に収まる圧力範囲である。
【００３６】
制御部１７は、生体センサ１４のレーザ光源２１からレーザ光を射出させる場合、表示部１９に画像を表示させる。制御部１７が表示部１９に表示させる画像は、任意の画像であるが、ユーザの注意を引く画像としてもよい。制御部１７がレーザ光を射出させている間に表示部１９に画像を表示させることにより、ユーザは、表示された画像に注目しやすくなる。そのため、ユーザは、生体情報の測定中に、測定装置１０の表面３０ａ側を顔に向けやすくなる。ユーザが測定装置１０の表面３０ａ側を顔に向けると、側面３０ｂに配置された接触部１５を介してレーザ光源２１から射出されるレーザ光は、測定装置１０からユーザの顔に向かって右方向の側面３０ｂの方向に射出される。そのため、仮に、ユーザが接触部１５を抑えている親指を接触部１５から離したとしても、レーザ光はユーザに向かって射出されないため、レーザ光がユーザの目に入る可能性を低減できる。このようにして、測定装置１０は、安全性を向上できる。
【００３７】
制御部１７は、生体センサ１４のレーザ光源２１からレーザ光を射出させる場合、例えば、血流量の測定中であることを示す画像を表示部１９に表示させる。制御部１７は、例えば、血流量の測定が終了するまでの時間を示す画像を表示部１９に表示させてもよい。具体的には、血流量の測定が５秒で終了する場合、制御部１７は、血流量の測定が終了するまでの５秒間をカウントダウンするアニメーションの画像を表示部１９に表示させてもよい。制御部１７は、５秒間を数え上げるアニメーションの画像を表示部１９に表示させてもよい。
【００３８】
制御部１７は、生体センサ１４のレーザ光源２１からレーザ光を射出させる場合、例えば、血流の様子を示す画像を表示部１９に表示させてもよい。血流の様子を示す画像は、例えば、予め記憶部１６に記憶された画像であってもよく、測定中のユーザの血流量に基づいて変化する画像であってもよい。血流の様子を示す画像は、例えば、ユーザの血流量が少ない場合には、血液の流れが遅い様子を示す画像であり、血流量が多い場合には、血液が速く流れる様子を示す画像である。
【００３９】
制御部１７は、例えば、圧力検出部１１で検出される接触部１５での接触圧力が、所定の圧力範囲内に含まれるか否かに関する情報を示す画像を表示部１９に表示させてもよい。この画像には、例えば、接触部１５における圧力が所定の圧力範囲よりも強いか又は弱いかに関する情報が含まれていてもよい。このような画像を表示させることにより、測定装置１０は、ユーザに表示部１９に注目させやすくなるだけでなく、ユーザに圧力に関する情報を認識させることができるため、ユーザに適切な把持状態（親指の接触状態）を実現させやすくなる。
【００４０】
また、制御部１７は、生体センサ１４による生体測定出力の取得が終了したか否かを判定する。制御部１７は、例えば、生体センサ１４が生体測定出力の取得を開始してから、所定時間経過後に、生体測定出力の取得が終了したと判断してもよい。また、制御部１７は、例えば、生体センサ１４が、生体情報を測定するために十分な生体測定出力を取得したとき、生体測定出力の取得が終了したと判断してもよい。
【００４１】
また、制御部１７は、ユーザが測定装置１０を使用して生体情報を測定する場合に、レーザ光源２１から射出されるレーザ光を制御する。制御部１７は、撮像部１２が撮像した画像又は三軸加速度センサ１３が検出した測定装置１０の傾きに基づいて、レーザ光の射出制御を行う。制御部１７が行う具体的なレーザ光の射出制御については、後述する。
【００４２】
生体情報生成部１８は、受光部２２の出力（生体情報出力）に基づいて、生体情報を生成する。生体情報生成部１８は、図３に示すように、制御部１７とは異なる独立した機能部として、測定装置１０に構成されてもよく、また、制御部１７の一部として構成されてもよい。
【００４３】
ここで、生体情報生成部１８による、ドップラーシフトを利用した血流量測定技術について説明する。制御部１７は、血流量を測定する際に、生体の組織内（被検部位）にレーザ光源２１からレーザ光を照射させ、受光部２２により生体の組織内から散乱された散乱光を受光する。そして、生体情報生成部１８は、受光された散乱光に関する出力に基づいて血流量を演算する。
【００４４】
生体の組織内において、動いている血球から散乱された散乱光は、血液中の血球の移動速度に比例したドップラー効果による周波数シフト（ドップラーシフト）を受ける。生体情報生成部１８は、静止した組織からの散乱光と、動いている血球からの散乱光との光の干渉によって生じるうなり信号（ビート信号ともいう）を検出する。このうなり信号は、強度を時間の関数として表したものである。そして、生体情報生成部１８は、このうなり信号を、パワーを周波数の関数として表したパワースペクトルにする。このうなり信号のパワースペクトルでは、ドップラーシフト周波数は血球の速度に比例し、パワーは血球の量に対応する。そして、生体情報生成部１８は、うなり信号のパワースペクトルに周波数をかけて積分することにより血流量を求める。
【００４５】
表示部１９は、液晶ディスプレイ、有機ＥＬディスプレイ、又は無機ＥＬディスプレイ等の周知のディスプレイにより構成される表示デバイスである。表示部１９は、例えば生体情報生成部１８が生成した生体情報を表示する。
【００４６】
次に、制御部１７が行うレーザ光の射出制御について、具体的に説明する。制御部１７は、例えば、撮像部１２が撮像した画像に基づいて、レーザ光源２１から射出されるレーザ光を制御する。この場合、制御部１７は、まず撮像部１２が撮像した画像の画像解析を行う。そして、制御部１７は、記憶部１６に記憶されたユーザの顔の画像を参照して、撮像部１２が撮像した画像にユーザの顔が含まれているか否かを判断する。制御部１７は、撮像部１２が撮像した画像にユーザの顔が含まれていると判断した場合、レーザ光源２１からのレーザ光の射出を許可し、レーザ光源２１からレーザ光を射出させる。一方、制御部１７は、撮像部１２が撮像した画像にユーザの顔が含まれないと判断した場合、レーザ光源２１からのレーザ光の射出を禁止する。制御部１７は、レーザ光の射出を禁止したときに、レーザ光源２１からレーザ光を射出させている場合、レーザ光の射出を停止させる。
【００４７】
このように、制御部１７は、撮像部１２が撮像した画像にユーザの顔が含まれる場合、レーザ光源２１からのレーザ光の射出を許可し、撮像部１２が撮像した画像にユーザの顔が含まれない場合、レーザ光源２１からのレーザ光の射出を禁止する。撮像部１２が撮像した画像にユーザの顔が含まれる場合、ユーザの顔は、測定装置１０の表面３０ａ側に位置する。そのため、レーザ光源２１から射出したレーザ光はユーザに向かって射出されない。従って、レーザ光はユーザの目に入る可能性を低減でき、測定装置１０は、安全性を向上できる。
【００４８】
また、制御部１７は、例えば、三軸加速度センサ１３が検出した測定装置１０の傾きに基づいて、レーザ光源２１から射出されるレーザ光を制御する。具体的には、制御部１７は、三軸加速度センサ１３が検出した測定装置１０の傾きに基づいて、レーザ光源２１から射出されるレーザ光の射出方向を判断する。制御部１７は、レーザ光の射出方向が鉛直上方向に対して所定の角度以上であると判断した場合、レーザ光源２１からのレーザ光の射出を許可し、レーザ光源２１からレーザ光を射出させる。一方、制御部１７は、レーザ光の射出方向が鉛直上方向に対して所定の角度未満であると判断した場合、レーザ光源２１からのレーザ光の射出を禁止する。制御部１７は、レーザ光の射出を禁止したときに、レーザ光源２１からレーザ光を射出させている場合、レーザ光の射出を停止させる。
【００４９】
このように、制御部１７は、レーザ光の射出方向が鉛直上方向に対して所定の角度以上である場合、レーザ光源２１からのレーザ光の射出を許可し、射出方向が鉛直上方向に対して所定の角度未満である場合、レーザ光源２１からのレーザ光の射出を禁止する。ユーザは、測定装置１０により血流量の測定を行う場合、通常は、上半身を直立させ、測定装置１０を、例えば胸の前等の顔よりも低い位置に把持して血流量の測定を行うと想定される。ユーザと測定装置１０とのこのような位置関係において、レーザ光の射出方向が鉛直上方向に対して所定の角度以上である場合、レーザ光は、測定装置１０よりも上方に位置するユーザに向かって射出されない。従って、レーザ光がユーザの目に入る可能性を低減でき、測定装置１０は、安全性を向上できる。なお、所定の角度は、ユーザによる測定装置１０の把持状態を考慮して決定することができ、例えば４５度とすることができる。
【００５０】
本実施の形態に係る測定装置１０は、撮像部１２と三軸加速度センサ１３との双方を有するため、制御部１７は、撮像部１２が撮像した画像及び三軸加速度センサ１３が検出した測定装置１０の傾きを適宜選択し、又はその双方に基づいて、レーザ光の射出制御を行うことができる。例えば、制御部１７は、画像を撮像した場所が暗所であり、画像解析によってはユーザの顔が画像に含まれるか否かを判断できない場合、三軸加速度センサ１３が検出した測定装置１０の傾きに基づいて、レーザ光の射出制御を行う。また、例えば、制御部１７は、これら双方に基づいてレーザ光の射出制御を行う場合には、レーザ光の射出方向が鉛直上方向に対して所定の角度以上であるが、ユーザが水平方向からレーザ光の射出口を覗き込んでいる場合に、撮像した画像にユーザの顔が含まれていないことを判断して、レーザ光の射出を禁止できる。
【００５１】
次に、制御部１７がレーザ光源２１に対して行うレーザ光の射出制御の一例について、図４に示すフローチャートを参照して説明する。図４に示すフローは、例えば、測定装置１０に対する操作によって、測定装置１０が血流量を測定可能な状態となった場合に開始される。このフローのスタートの段階において、レーザ光源２１からレーザ光は射出されていない。また、図４のフローでは、一例として、制御部１７が、撮像部１２が撮像した画像及び三軸加速度センサ１３が検出した測定装置１０の傾きのその双方に基づいて、レーザ光の射出制御を行うものとして説明する。
【００５２】
制御部１７は、接触部１５における圧力に関する情報を表示部１９に表示する（ステップＳ１０１）。この情報は、例えば、接触部１５における圧力が所定の圧力範囲よりも強いか又は弱いかに関する情報である。
【００５３】
次に、制御部１７は、圧力検出部１１で検出される接触部１５に作用する圧力が所定の圧力範囲内であるか否かを判断する（ステップＳ１０２）。
【００５４】
制御部１７は、接触部１５に作用する圧力が所定の圧力範囲内でないと判断した場合（ステップＳ１０２のＮｏ）、レーザ光の射出を禁止するため、レーザ光を射出せず、接触部１５に作用する圧力が所定の圧力範囲内であると判断するまで、ステップＳ１０２を繰り返す。
【００５５】
制御部１７は、接触部１５に作用する圧力が所定の圧力範囲内であると判断した場合（ステップＳ１０２のＹｅｓ）、次に、撮像部１２が撮像した画像にユーザの顔が含まれるか否かを判断する（ステップＳ１０３）。
【００５６】
制御部１７は、撮像部１２が撮像した画像にユーザの顔が含まれないと判断した場合（ステップＳ１０３のＮｏ）、レーザ光の射出を禁止するため、レーザ光を射出せず、このフローはステップＳ１０２に戻る。
【００５７】
制御部１７は、撮像部１２が撮像した画像にユーザの顔が含まれると判断した場合（ステップＳ１０３のＹｅｓ）、次に、三軸加速度センサ１３が検出した測定装置１０の傾きに基づいて、レーザ光の射出方向が鉛直上方向に対して所定の角度以上であるか否かを判断する（ステップＳ１０４）。
【００５８】
制御部１７は、レーザ光の射出方向が所定の角度未満であると判断した場合（ステップＳ１０４のＮｏ）、レーザ光の射出を禁止するため、レーザ光を射出せず、このフローはステップＳ１０２に戻る。
【００５９】
制御部１７は、レーザ光の射出方向が所定の角度以上であると判断した場合（ステップＳ１０４のＹｅｓ）、レーザ光の射出を許可し、レーザ光源２１からレーザ光を射出する。レーザ光の射出により、受光部２２が散乱光を受光し、生体センサ１４における生体測定出力の取得が開始される（ステップＳ１０５）。
【００６０】
次に、制御部１７は、ステップＳ１０２と同様に、圧力検出部１１で検出される接触部１５に作用する圧力が所定の圧力範囲内であるか否かを判断する（ステップＳ１０６）。
【００６１】
ここで、制御部１７は、接触部１５に作用する圧力が所定の圧力範囲内でないと判断した場合（ステップＳ１０６のＮｏ）、レーザ光の射出を禁止するため、レーザ光源２１からのレーザ光の射出を停止する（ステップＳ１０９）。そして、このフローは、ステップＳ１０２に戻る。
【００６２】
一方、制御部１７は、接触部１５に作用する圧力が所定の圧力範囲内であると判断した場合（ステップＳ１０６のＹｅｓ）、ステップＳ１０３と同様に、撮像部１２が撮像した画像にユーザの顔が含まれるか否かを判断する（ステップＳ１０７）。
【００６３】
ここで、制御部１７は、撮像部１２が撮像した画像にユーザの顔が含まれないと判断した場合（ステップＳ１０７のＮｏ）、レーザ光の射出を禁止するため、レーザ光源２１からのレーザ光の射出を停止する（ステップＳ１０９）。そして、このフローは、ステップＳ１０２に戻る。
【００６４】
一方、制御部１７は、撮像部１２が撮像した画像にユーザの顔が含まれると判断した場合（ステップＳ１０７のＹｅｓ）、ステップＳ１０４と同様に、レーザ光の射出方向が鉛直上方向に対して所定の角度以上であるか否かを判断する（ステップＳ１０８）。
【００６５】
ここで、制御部１７は、レーザ光の射出方向が所定の角度未満であると判断した場合（ステップＳ１０８のＮｏ）、レーザ光の射出を禁止するため、レーザ光源２１からのレーザ光の射出を停止する（ステップＳ１０９）。そして、このフローは、ステップＳ１０２に戻る。
【００６６】
一方、制御部１７は、レーザ光の射出方向が所定の角度以上であると判断した場合（ステップＳ１０８のＹｅｓ）、レーザ光源２１からレーザ光を射出した状態を維持しつつ、生体センサ１４による生体測定出力の取得が終了したか否かを判断する（ステップＳ１１０）。
【００６７】
制御部１７は、生体測定出力の取得が終了していないと判断した場合（ステップＳ１１０のＮｏ）、ステップＳ１０６に戻り、接触部１５に作用する圧力が所定の圧力範囲内であるか否かを判断する。
【００６８】
制御部１７は、生体測定出力の取得が終了したと判断した場合（ステップＳ１１０のＹｅｓ）、レーザ光源２１からのレーザ光の射出を停止する（ステップＳ１１１）。このようにして、測定装置１０における生体測定出力の取得が終了する。取得された生体測定出力は、生体情報生成部１８が生体情報を生成するために使用される。
【００６９】
このように、本実施の形態に係る測定装置１０は、表面３０ａとは異なる側面３０ｂにレーザ光源２１からのレーザ光が射出される接触部１５を備える。そのため、ユーザが測定装置１０を使用して血流量を測定する場合、側面３０ｂから射出されるレーザ光は、表面３０ａを見ながら操作を行うユーザの顔に向かって射出されにくい。また、ユーザはガイド４０に基づいて、表面３０ａを自分の方向に向けながら、接触部１５に被検部位を接触させることができる。従って、測定装置１０によれば、安全性を向上できる。
【００７０】
なお、本発明は、上記実施の形態にのみ限定されるものではなく、幾多の変形または変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００７１】
例えば、接触部１５の位置は、図１に示す位置に限られない。接触部１５は、測定装置１０の表面３０ａとは異なる面上であって、ユーザが測定装置１０を把持したときに、違和感なく指の腹で覆うことができる任意の位置に配置できる。具体的には、例えば、接触部１５は、測定装置１０の側面３０ｂの他の箇所、又は、側面３０ｂ以外の他の側面若しくは背面に配置できる。ユーザは、接触部１５に、親指以外の他の指を接触させることにより、生体情報を測定してもよい。
【００７２】
測定装置１０が備える接触部１５は、１つに限られない。測定装置１０は、２つ以上の接触部を備えていてもよい。例えば、測定装置１０は、図１の接触部１５として示す位置に加えて、例えば、図１の接触部１５に向かい合う側面上であって、測定装置１０を表面３０ａから見たときに接触部１５と左右対称となる位置に、もう１つの接触部を備えていてもよい。測定装置１０は、複数の接触部それぞれの位置を示すガイドを備える。また、複数の接触部は、それぞれ圧力検出部に接続される。この場合、ユーザは、左右いずれの手で測定装置１０を把持しても、親指を左右いずれかの接触部に接触させることができる。なお、測定装置１０が複数の接触部を備える場合には、制御部１７は、例えば、圧力を検出した圧力検出部に対応する接触部の方向にレーザ光を射出する。これにより、制御部１７は、指が接触していない接触部１５からレーザ光が射出されることを防ぐことができる。
【００７３】
上記実施の形態の説明では、鉛直上方向を基準にしてレーザ光の射出方向が所定の角度以上であるか否かに基づき、制御部１７がレーザ光の射出制御を行うとして説明したが、所定の角度の基準は、鉛直上方向に限定されない。例えば、仰向けの状態のユーザが測定装置１０を使用して生体情報を測定する場合、制御部１７は、鉛直下方向を基準にしてレーザ光の射出方向が所定の角度以上であるか否かに基づき、レーザ光の射出制御を行ってもよい。
【符号の説明】
【００７４】
１０  測定装置
１１  圧力検出部
１２  撮像部
１３  三軸加速度センサ
１４  生体センサ
１５  接触部
１６  記憶部
１７  制御部
１８  生体情報生成部
１９  表示部
２０  パネル
２１  レーザ光源
２２  受光部
３０  筐体
３０ａ  表面
３０ｂ  側面
４０  ガイド
【図１】
2018130558.tif 000003
【図２】
2018130558.tif 000004
【図３】
2018130558.tif 000005
【図４】
2018130558.tif 000006